(57)【特許請求の範囲】
【請求項１】
カメラにより撮影して写真画像を得る撮影手段と、
ユーザの選択操作に応じて、予め設定された複数のデザインテンプレートのうち使用するものを選択する選択手段と、
ユーザの編集操作に応じて、前記写真画像に対する編集画像を編集する編集手段と、
前記写真画像と前記編集画像とを合成して合成画像を生成する合成手段と、
前記写真画像又は前記合成画像を含む第１の領域と、前記選択されたデザインテンプレートに基づく画像を含む第２の領域とを有する提供用画像を生成する生成手段とを備え、
前記生成手段は、前記選択手段により前記複数のデザインテンプレートのうち所定のデザインテンプレートが選択されたとき、ユーザの切替操作に応じて、前記第１の領域に前記写真画像を含めるか前記合成画像を含めるかを切り替える、写真撮影遊戯装置。
【請求項２】
前記提供用画像は、前記第１の領域を複数含み、
前記生成手段は、前記ユーザの切替操作が行われたとき、それに応じて、前記写真画像を含めるか前記合成画像を含めるかを前記第１の領域のすべてについて切り替える、請求項１に記載の写真撮影遊戯装置。
【請求項３】
前記生成手段は、前記ユーザの切替操作を受け付けるとき、前記第１の領域に前記写真画像を含めた状態の前記提供用画像のプレビュー表示と、前記第１の領域に前記合成画像を含めた状態の前記提供用画像のプレビュー表示とを行う、請求項１又は２に記載の写真撮影遊戯装置。
【請求項４】
前記生成手段は、前記選択手段により前記所定のデザインテンプレートが選択されなかったとき、前記ユーザの切替操作を受け付けずに前記提供用画像を生成する、請求項１から３のいずれかに記載の写真撮影遊戯装置。
【請求項５】
前記生成手段は、前記選択手段により前記所定のデザインテンプレートが選択されなかったとき、前記第１の領域に前記合成画像を含める、請求項４に記載の写真撮影遊戯装置。
【請求項６】
前記写真画像に対して、前記編集手段による編集対象とは異なる所定の要素に関する特別編集画像を編集する特別編集手段をさらに備え、
前記生成画像は、前記ユーザの切替操作が行われたとき、前記ユーザの切替操作にかかわらず、前記特別編集画像の編集結果が反映された画像を前記第１の領域に含める、請求項１から５のいずれかに記載の写真撮影遊戯装置。
【請求項７】
前記所定のデザインテンプレートは、前記第１の領域に前記写真画像とは縦横比が異なる画像を含むもの、及び前記第１の領域に所定のフィルタ加工を行った画像を含むものの少なくとも一方に該当する、請求項１から６のいずれかに記載の写真撮影遊戯装置。
【請求項８】
前記生成画像は、少なくとも２つの画像が互いに重なるように前記第１の領域が設定されているデザインテンプレートが前記選択手段により選択されたとき、下側の画像が前記写真画像になるように前記提供用画像を生成する、請求項１から７のいずれかに記載の写真撮影遊戯装置。
【請求項９】
請求項１から８のいずれかに記載の写真撮影遊戯装置と、
少なくとも前記提供用画像をシールにプリントして出力する出力手段とを備える、写真シール作成装置。
【請求項１０】
カメラにより撮影して得た写真画像を用いて提供用画像を生成する写真撮影遊戯装置の制御方法であって、
ユーザの選択操作に応じて、予め設定された複数のデザインテンプレートのうち使用するものを選択する選択ステップと、
ユーザの編集操作に応じて、前記写真画像に対する編集画像を編集する編集ステップと、
前記写真画像と前記編集画像とを合成して合成画像を生成する合成ステップと、
前記写真画像又は前記合成画像を含む第１の領域と、前記選択されたデザインテンプレートに基づく画像を含む第２の領域とを有する提供用画像を生成する生成ステップとを備え、
前記生成ステップは、前記選択ステップにより前記複数のデザインテンプレートのうち所定のデザインテンプレートが選択されたとき、ユーザの切替操作に応じて、前記第１の領域に前記写真画像を含めるか前記合成画像を含めるかを切り替える、写真撮影遊戯装置の制御方法。
【請求項１１】
カメラにより撮影して得た写真画像を用いて提供用画像を生成する写真撮影遊戯装置の制御プログラムであって、
ユーザの選択操作に応じて、予め設定された複数のデザインテンプレートのうち使用するものを選択する選択ステップと、
ユーザの編集操作に応じて、前記写真画像に対する編集画像を編集する編集ステップと、
前記写真画像と前記編集画像とを合成して合成画像を生成する合成ステップと、
前記写真画像又は前記合成画像を含む第１の領域と、前記選択されたデザインテンプレートに基づく画像を含む第２の領域とを有する提供用画像を生成する生成ステップとをコンピュータに実行させ、
前記生成ステップは、前記選択ステップにより前記複数のデザインテンプレートのうち所定のデザインテンプレートが選択されたとき、ユーザの切替操作に応じて、前記第１の領域に前記写真画像を含めるか前記合成画像を含めるかを切り替える、写真撮影遊戯装置の制御プログラム。
【発明の詳細な説明】
【技術分野】
【０００１】
この発明は写真撮影遊戯装置、写真シール作成装置、写真撮影遊戯装置の制御方法、及び写真撮影遊戯装置の制御プログラムに関し、特に、カメラにより撮影して得た写真画像を用いて生成した画像をユーザに提供する機能を有する写真撮影遊戯装置、写真シール作成装置、写真撮影遊戯装置の制御方法、及び写真撮影遊戯装置の制御プログラムに関する。
【背景技術】
【０００２】
ゲームセンタなどに設置され、装置利用者（ユーザ、プレイヤ）などの写真を撮影して画像を生成する写真撮影遊戯装置が知られている。写真撮影遊戯装置としては、生成した画像をシールなどのプリント物として提供する写真シール作成装置などがある。写真撮影遊戯装置では、一般的に、撮影した写真画像についての落書き編集（ペンによる書き込みやスタンプの配置など）を行うことができる。すなわち、写真画像に対して、ユーザの入力操作に基づいて編集された編集画像が合成され、落書き付きの合成画像が生成される。
【０００３】
写真撮影遊戯装置としては、ユーザを撮影して得られた画像を用いて、撮影により得られた画像とは別の画像である画像をユーザに提供するために生成する機能を有するものが知られている。生成された提供用画像は、シールにプリントされたり、ユーザが所有する携帯端末で受信可能とされたりすることにより、ユーザに提供される。
【０００４】
下記特許文献１には、撮影画像をトリミングした画像に対して落書きを行わずに、そのトリミングした画像とテンプレート画像とを合成して出力画像を生成する遊戯用撮影装置が開示されている。
【先行技術文献】
【特許文献】
【０００５】
【特許文献１】特開２０１３−０３７１４２号公報
【発明の概要】
【発明が解決しようとする課題】
【０００６】
上述のような写真撮影遊戯装置を用いた遊びは広く行われるようになっており、ユーザの間では、より斬新で完成度の高い魅力的な画像のニーズが高まっている。また、ユーザの間では、いわゆるスマートフォンなどの高機能な携帯端末の普及率が高まっている。そして、そのような携帯端末を利用して知人と画像を交換したり、自身のウェブログやソーシャル・ネットワーキング・サービス（ＳＮＳ）などに画像を表示させたりするというニーズが高まっている。
【０００７】
このようなニーズに応じて、写真撮影遊戯装置を利用して、ユーザが、デザイン性が高い画像や意図する通りの画像など、ユーザにとって魅力的な画像を生成できると、ユーザの満足度が向上する。ユーザに対してより魅力的な画像を生成できる機能を提供するため、写真撮影遊戯装置では、デザイン性が高く凝ったデザインの斬新なデザインテンプレートを予め用意しておき、その斬新なデザインテンプレートと合成画像とを用いて、提供用画像を生成できるようにすることが行われている。
【０００８】
しかしながら、このような斬新なデザインテンプレートと合成画像とに基づいて提供用画像を生成できるようにする場合、次のような問題が生じることがある。
【０００９】
すなわち、斬新なデザインテンプレートでは、デザイン性を高めるため、合成画像に加工を行ったうえで、その画像を用いるものがある。しかしながら、そのような加工を合成画像に対して行った結果、デザインテンプレートのデザインコンセプトと合成画像に含まれるユーザの落書きとが不釣合いとなり、提供用画像のデザイン性が損なわれる場合がある。
【００１０】
例えば、写真画像についてフィルタ加工（例えば、モノクロ写真化やセピア写真化など）を行い、その変更後の画像が提供用画像に含まれるようにするものがある。このとき、合成画像に含まれる落書きが色彩豊かなものであると、提供用画像の全体の色調に落書きが調和せず、提供用画像が雑然とした印象を与えるものとなる場合がある。
【００１１】
また、例えば、写真画像の縦横比をトリミングにより変更し、その変更後の画像が提供用画像に含まれるようにするものがある。一般的に、落書き編集は縦横比を変更する前の写真画像に対して行われるため、このような場合には、縦横比の変更に伴い、落書きの一部が途中で途切れたりする場合がある。このような画像が提供用画像に含まれると、提供用画像が不自然な印象を与えるものとなる場合がある。
【００１２】
このように、斬新なデザインテンプレートに基づいて提供用画像を生成できるようにする場合には、上述のような問題が発生するのを避けるため、合成画像ではない、落書きを含まない写真画像を用いて提供用画像を生成するようにすることが考えられる。しかしながら、一律に写真画像を用いると、ユーザに不満感を与えてしまう可能性があるという問題がある。
【００１３】
すなわち、ユーザには、プレイにおいて落書き編集を行う機会が与えられる。そうであるにもかかわらず、落書き編集の成果が提供用画像において反映されなくなると、不満感を覚えるユーザが生じる可能性がある。特に、行われた落書き編集の内容によっては、落書き編集が行われた合成画像と斬新なテンプレートとを用いて提供用画像を生成しても上述のような問題が発生しない場合もある。そのような場合にまで、合成画像を利用しないとすると、合成画像を利用しないことに不満感を覚えるユーザが生じる可能性が高くなる。
【００１４】
この発明はそのような問題点を解決するためになされたものであり、デザイン性が高い提供用画像を提供でき、プレイするユーザの満足度が高い写真撮影遊戯装置、写真シール作成装置、写真撮影遊戯装置の制御方法、及び写真撮影遊戯装置の制御プログラムを提供することを目的としている。
【課題を解決するための手段】
【００１５】
上記目的を達成するためこの発明のある局面に従うと、写真撮影遊戯装置は、カメラにより撮影して写真画像を得る撮影手段と、ユーザの選択操作に応じて、予め設定された複数のデザインテンプレートのうち使用するものを選択する選択手段と、ユーザの編集操作に応じて、写真画像に対する編集画像を編集する編集手段と、写真画像と編集画像とを合成して合成画像を生成する合成手段と、写真画像又は合成画像を含む第１の領域と、選択されたデザインテンプレートに基づく画像を含む第２の領域とを有する提供用画像を生成する生成手段とを備え、生成手段は、選択手段により複数のデザインテンプレートのうち所定のデザインテンプレートが選択されたとき、ユーザの切替操作に応じて、第１の領域に写真画像を含めるか合成画像を含めるかを切り替える。
【００１６】
好ましくは、提供用画像は、第１の領域を複数含み、生成手段は、ユーザの切替操作が行われたとき、それに応じて、写真画像を含めるか合成画像を含めるかを第１の領域のすべてについて切り替える。
【００１７】
好ましくは、生成手段は、ユーザの切替操作を受け付けるとき、第１の領域に写真画像を含めた状態の提供用画像のプレビュー表示と、第１の領域に合成画像を含めた状態の提供用画像のプレビュー表示とを行う。
【００１８】
好ましくは、生成手段は、選択手段により所定のデザインテンプレートが選択されなかったとき、ユーザの切替操作を受け付けずに提供用画像を生成する。
【００１９】
好ましくは、生成手段は、選択手段により所定のデザインテンプレートが選択されなかったとき、第１の領域に合成画像を含める。
【００２０】
好ましくは、写真撮影遊戯装置は、写真画像に対して、編集手段による編集対象とは異なる所定の要素に関する特別編集画像を編集する特別編集手段をさらに備え、生成画像は、ユーザの切替操作が行われたとき、ユーザの切替操作にかかわらず、特別編集画像の編集結果が反映された画像を第１の領域に含める。
【００２１】
好ましくは、所定のデザインテンプレートは、第１の領域に写真画像とは縦横比が異なる画像を含むもの、及び第１の領域に所定のフィルタ加工を行った画像を含むものの少なくとも一方に該当する。
【００２２】
好ましくは、生成画像は、少なくとも２つの画像が互いに重なるように第１の領域が設定されているデザインテンプレートが選択手段により選択されたとき、下側の画像が写真画像になるように提供用画像を生成する。
【００２３】
この発明の他の局面に従うと、写真シール作成装置は、上述のいずれかに記載の写真撮影遊戯装置と、少なくとも提供用画像をシールにプリントして出力する出力手段とを備える。
【００２４】
この発明のさらに他の局面に従うと、カメラにより撮影して得た写真画像を用いて提供用画像を生成する写真撮影遊戯装置の制御方法は、ユーザの選択操作に応じて、予め設定された複数のデザインテンプレートのうち使用するものを選択する選択ステップと、ユーザの編集操作に応じて、写真画像に対する編集画像を編集する編集ステップと、写真画像と編集画像とを合成して合成画像を生成する合成ステップと、写真画像又は合成画像を含む第１の領域と、選択されたデザインテンプレートに基づく画像を含む第２の領域とを有する提供用画像を生成する生成ステップとを備え、生成ステップは、選択ステップにより複数のデザインテンプレートのうち所定のデザインテンプレートが選択されたとき、ユーザの切替操作に応じて、第１の領域に写真画像を含めるか合成画像を含めるかを切り替える。
【００２５】
この発明のさらに他の局面に従うと、カメラにより撮影して得た写真画像を用いて提供用画像を生成する写真撮影遊戯装置の制御プログラムは、ユーザの選択操作に応じて、予め設定された複数のデザインテンプレートのうち使用するものを選択する選択ステップと、ユーザの編集操作に応じて、写真画像に対する編集画像を編集する編集ステップと、写真画像と編集画像とを合成して合成画像を生成する合成ステップと、写真画像又は合成画像を含む第１の領域と、選択されたデザインテンプレートに基づく画像を含む第２の領域とを有する提供用画像を生成する生成ステップとをコンピュータに実行させ、生成ステップは、選択ステップにより複数のデザインテンプレートのうち所定のデザインテンプレートが選択されたとき、ユーザの切替操作に応じて、第１の領域に写真画像を含めるか合成画像を含めるかを切り替える。
【発明の効果】
【００２６】
これらの発明に従うと、複数のデザインテンプレートのうち所定のデザインテンプレートが選択されたとき、ユーザの切替操作に応じて、提供用画像に写真画像が含められるか合成画像が含められるかが切り替えられる。したがって、デザイン性が高い提供用画像を提供でき、プレイするユーザの満足度が高い写真撮影遊戯装置、写真シール作成装置、写真撮影遊戯装置の制御方法、及び写真撮影遊戯装置の制御プログラムを提供することができる。
【図面の簡単な説明】
【００２７】
【図１】本発明の実施の形態の１つにおける写真シール遊戯システムのネットワーク接続例を示す図である。
【図２】写真シール作成装置のハードウェア構成を示す側面図である。
【図３】写真シール作成装置のハードウェア構成を示す平面図である。
【図４】写真シール作成装置を用いたプレイを示すフローチャートである。
【図５】写真シール作成装置の制御に関する構成を説明するブロック図である。
【図６】写真シール作成装置の基本的動作の一例を示すフローチャートである。
【図７】ユーザのプレイ時における写真シール作成装置とサーバとの動作を大まかに示すシーケンス図である。
【図８】外部モニタ受け付けのプレイ時の流れについて説明するフローチャートである。
【図９】撮影のプレイ時の流れについて説明するフローチャートである。
【図１０】落書き受け付けのプレイ時の流れについて説明する第１のフローチャートである。
【図１１】落書き受け付けのプレイ時の流れについて説明する第２のフローチャートである。
【図１２】落書き編集画面の一例を示す図である。
【図１３】落書き編集時の動作を示すフローチャートである。
【図１４】写真シール作成装置における画像の合成について説明する図である。
【図１５】デザインテンプレートの種類を説明する図である。
【図１６】本実施の形態におけるテンプレート選択画面を示す第１の図である。
【図１７】本実施の形態におけるテンプレート選択画面を示す第２の図である。
【図１８】本実施の形態におけるテンプレート選択画面を示す第３の図である。
【図１９】高デザイン性テンプレートの例を示す図である。
【図２０】特定レイアウト編集画面の一例を示す図である。
【図２１】本実施の形態の一変形例に係る特定レイアウト編集画面を示す図である。
【図２２】本実施の形態の一変形例に係る写真シール作成装置における、外部モニタ受け付けのプレイ時の流れについて説明するフローチャートである。
【図２３】本実施の形態の一変形例に係る写真シール作成装置における、落書き受け付けのプレイ時の流れについて説明するフローチャートである。
【図２４】本実施の形態の上述とは異なる変形例に係る写真シール作成装置における、テンプレート選択画面を示す図である。
【発明を実施するための形態】
【００２８】
以下、本発明の実施の形態における写真撮影遊戯装置を用いた、写真シール遊戯システムの一例について説明する。
【００２９】
写真シール遊戯システム（画像提供システムの一例）は、写真シール作成装置（写真撮影遊戯装置の一例）と、画像提供サーバ（画像提供装置の一例）とで構成されている。画像提供サーバは、ユーザが写真シール作成装置でプレイを行ったときに撮影された複数の画像を、写真シール作成装置から取得する。そして、取得した複数の画像を、プレイを行ったユーザに対して提供することができる。
【００３０】
写真シール作成装置は、ユーザをカメラを用いて撮影して得た写真画像を用いて、提供用画像を生成する。提供用画像は、ユーザに提供するシールとして出力されたり、写真提供サーバを介してユーザに提供されたりする。提供用画像は、予め用意されたデザインテンプレートに従って生成される。
【００３１】
［実施の形態］
【００３２】
図１は、本発明の実施の形態の１つにおける写真シール遊戯システムのネットワーク接続例を示す図である。
【００３３】
写真シール作成装置１は、画像提供サーバ（以下、単にサーバということがある）６０１や携帯端末装置（以下、携帯端末ということがある）７０１（７０１ａ，７０１ｂ）などと共に、写真シール遊戯システム９０１を構成する。写真シール作成装置１は、例えばゲームセンタなど、様々な店舗に設置されている。サーバ６０１は、例えば、データセンタで管理されている。携帯端末７０１は、例えば、写真シール作成装置１でプレイするユーザ（ユーザ）が所有するものである。写真シール遊戯システム９０１の各装置は、例えば、インターネットなどのネットワーク８０１に接続されている。これにより、写真シール作成装置１や携帯端末７０１は、ネットワーク８０１を介して、サーバ６０１と通信可能である。なお、写真シール作成装置１と携帯端末７０１とが互いに通信可能であってもよい。
【００３４】
画像提供サーバ６０１は、一般的なハードウェア構成を有する電子計算機であり、通信部６０３、記憶部６０５、及び装置の各部を制御する制御部６５０などを有している。通信部６０３は、ＬＡＮ（構内情報通信網）などを経由して、サーバ６０１をネットワーク８０１に接続する。記憶部６０５は、例えばＨＤＤ（Ｈａｒｄ  Ｄｉｓｋ  Ｄｒｉｖｅ）である。記憶部６０５には、制御プログラム６０７が記憶されている。制御部６５０は、例えばＣＰＵやメモリなどで構成されている。制御部６５０は、制御プログラム６０７などを実行することで、サーバ６０１の各部の動作を制御する。
【００３５】
携帯端末７０１は、例えば、いわゆるフィーチャーフォンやスマートフォンである。携帯端末７０１は、通信部７０３と、記憶部７０５と、制御部７５０とを有している。通信部７０３は、例えば、無線ＬＡＮや携帯電話網を通じてネットワーク８０１に接続可能である。記憶部７０５は、例えばフラッシュメモリである。記憶部７０５には、制御プログラム７０７が記憶されている。携帯端末７０１は、さらに、操作部７１１や、表示部７１３や、カメラ７１５などを有している。制御部７５０は、例えばＣＰＵやメモリなどで構成されている。制御部７５０は、制御プログラム７０７などを実行することで、携帯端末７０１の各部の動作を制御する。
【００３６】
写真シール作成装置１は、プレイ時に生成された画像データをサーバ６０１に送信する。サーバ６０１は、送信された画像データを記憶する。サーバ６０１は、画像データを、それを送信したユーザのデータに対応させて管理する。サーバ６０１は、携帯端末７０１などからのアクセスを受け付け、携帯端末７０１を所有するユーザに対応する画像データを、その携帯端末７０１に対して公開する機能などを有している。これにより、ユーザは、携帯端末７０１を用いて、サーバ６０１に記憶されている画像データを取得可能である。
【００３７】
［写真シール作成装置１の概略構成］
【００３８】
図２は、写真シール作成装置１のハードウェア構成を示す側面図である。図３は、写真シール作成装置１のハードウェア構成を示す平面図である。
【００３９】
図２に示されるように、写真シール作成装置１は、前部筐体（撮影筐体）５１０、背部筐体５４０、及び編集出力装置５７０を有している。前部筐体５１０、背部筐体５４０、及び編集出力装置５７０は、互いに並べられて１台の写真シール作成装置１として用いられる。
【００４０】
前部筐体５１０には、外部モニタ５２１やコイン投入部５２５などが配置された事前接客部５２０が設けられている。事前接客部５２０は、写真シール作成装置１の前部筐体５１０の左側面に配置されている（一方に選択的に配置されていればよく、右側面にあってもよい。）。前部筐体５１０の内側には、正面照明装置５１１、カメラ５１５、及び操作モニタ５１７などが配置されている。
【００４１】
背部筐体５４０の内側には、背部照明装置５４１が配置されている。
【００４２】
編集出力装置５７０の前部には、シール排出口５７５が設けられている。編集出力装置５７０の両側部には、それぞれ、編集モニタ５８１、タッチペン５８３、非接触通信装置５８５、及びスピーカ５８７などを有する編集受付部５８０が設けられている。
【００４３】
図３に示されるように、前部筐体５１０と背部筐体５４０とが組み合わせられることにより、撮影コーナー（撮影ブース）が形成される。撮影コーナーの両側方は開口部となるが、この開口部は、カーテン（図示せず）で覆うことができる。また、編集出力装置５７０の周囲も、カーテン（図示せず）で覆うことができる。これにより、ユーザは、他者にプレイ中の姿や編集画面などをのぞき込まれないようにして、プレイ可能である。
【００４４】
上述のように、写真シール作成装置１には、種々のモニタ（外部モニタ５２１、操作モニタ５１７、編集モニタ５８１など）が配置されている。これらのモニタは、プレイ中には種々の案内が表示されるとともに、ユーザによる操作入力を受け付ける。また、モニタには、プレイ中の場合とプレイ中でない場合とのそれぞれで、宣伝や広告が表示される。このとき、装置各部に設けられているスピーカから、音声による案内や広告等が出力されるようにしてもよい。
【００４５】
図４は、写真シール作成装置１を用いたプレイを示すフローチャートである。
【００４６】
本実施の形態において、写真シール作成装置１を用いたプレイは、大まかに、次のような４つの段階を順にたどるようにして行われる。プレイは、通常動作モードでの動作時に行われる。
【００４７】
事前接客部５２０のコイン投入部５２５に規定枚数の硬貨が投入されると、プレイが開始する。ステップＳ１において、外部モニタ５２１における受け付けが行われる。このとき、図３において示されるＰ１の位置にユーザが立つ。この段階では、撮影を開始する前に、撮影、編集、作成される画像やシートなどの各種プレイに関する案内及び広告がユーザに対して行われる。また、ユーザは、各種選択操作を行う。
【００４８】
ステップＳ２において、撮影が行われる。このとき、図３において示されるＰ２の位置、すなわち撮影コーナー内にユーザが立つ。撮影コーナーでは、事前接客部５２０で受け付けられた各種選択操作に基づいて、ユーザに対して、各種操作で選択された撮影コースに応じた撮影が行われる。また、それと共に、ユーザによる各種操作が受け付けられ、落書き可能な画像データが作成される。
【００４９】
ステップＳ３において、落書き受け付けが行われる。このとき、図３において示されるＰ３の位置（落書きコーナー）にユーザが立つ。すなわち、ユーザは、左右いずれか一方の編集受付部５８０ａ，５８０ｂに対面するように立つ。落書き受け付けでは、撮影コーナーでのプレイが終了したユーザに対して、各種選択作業に関する案内が行われる。そして、ユーザにより行われる、出力するシールなどについての各種選択操作や、落書き操作が受け付けられる。このとき受け付けられた受付結果に基づいて、シールにプリントされる画像の処理が行われる。
【００５０】
ステップＳ４において、シールの出力が行われる。このとき、図３において示されるＰ４の位置にユーザが立つ。すなわち、ユーザは、シール排出口５７５の前方で、シール排出口５７５からシールが排出されるのを待つ。シール排出口５７５からシールが排出されると、写真シール作成装置１の近傍で行われる、一連の主なプレイは終了する。
【００５１】
このように、４段階に分かれて、ユーザが移動しながらプレイが進むことで、単位時間当たりに写真シール作成装置１を利用可能なユーザ組数が多くなっている。すなわち、最大で５組のユーザが、同時に写真シール作成装置１を利用できる。落書き受け付けは時間がかかるため、２つの編集受付部５８０ａ，５８０ｂを用いて、同時に２組のユーザが落書き受け付けの段階をプレイできるように構成されている。
【００５２】
なお、写真シール作成装置１のハードウェア構成は公知のものであるので、ここでの詳細な説明は省略する。写真シール作成装置１は、上記とは異なるハードウェア構成を有していてもよい。例えば、シール排出口５７５の近くには、そこで待機するユーザが見ることができるように表示パネルを設けて、表示パネルを用いてユーザに案内表示を行ったり、広告等を表示したりしてもよい。
【００５３】
図５は、写真シール作成装置１の制御に関する構成を説明するブロック図である。
【００５４】
写真シール作成装置１は、例えばＰＣ（パーソナルコンピュータ）のような、ＣＰＵ５０２、メモリ５０３、画像処理部５０４、記憶部５０５、及び通信部５０９などで構成された制御部（制御装置）５０１を有している。
【００５５】
画像処理部５０４は、カメラ５１５により撮影された画像の情報に基づいて、その後の処理に用いられる合成前画像（写真画像の一例）を生成したり、編集受付部５８０で受け付けられた落書きに応じて編集画像を生成したり、合成前画像と編集画像とを合成して合成画像を生成したりする。すなわち、画像処理部５０４は、編集受付部５８０で受け付けられた落書き等の受付結果や外部モニタ５２１等での操作入力の受付結果に応じて、カメラ５１５により得られた画像を用いて、その後の処理に用いられる画像の処理を行ったり、シートにプリントする提供用画像やサーバ６０１に送信する提供用画像などを生成したりする。
【００５６】
記憶部５０５は、例えばフラッシュメモリやＨＤＤであり、制御プログラム５０７を有している。
【００５７】
制御部５０１は、ＣＰＵ５０２が制御プログラム５０７を実行することで、写真シール作成装置１の各部の動作を制御する。
【００５８】
通信部５０９は、例えばＰＨＳ通信モジュールを有し、写真シール作成装置１をネットワーク８０１に接続できる。
【００５９】
制御部５０１は、事前接客部５２０について、外部モニタ５２１、スピーカ５２７、及びコイン制御部５２５ａなどを制御する。コイン制御部５２５ａは、コイン投入部５２５を制御し、コインの投入状況などを確認し、制御部５０１に通知する。
【００６０】
制御部５０１は、前部筐体５１０及び背部筐体５４０について、カメラ５１５、操作モニタ５１７、及びストロボ制御部５３０などを制御する。ストロボ制御部５３０は、正面照明装置５１１や背部照明装置５４１を制御し、適時に適切な態様で発光させる。
【００６１】
制御部５０１は、編集出力装置５７０について、編集モニタ５８１、非接触通信装置５８５、スピーカ５８７、及び印刷部５９０などを制御する。印刷部５９０は、画像処理部５０４により処理が行われた画像について、用紙にプリント（印刷）し、印刷後のシートをシール排出口５７５に搬送する。印刷部５９０により、シール排出口５７５からシートが出力される。
【００６２】
なお、図５で示される構成は、概念的な構成を示すものである。例えば、撮影コーナー側（前部筐体５１０及び背部筐体５４０）にＰＣを設け、落書きコーナー側（編集出力装置５７０）にも別のＰＣを設け、これらが連携して動作することで、制御部５０１などの機能が実現されるようにしてもよい。
【００６３】
［写真シール遊戯システム９０１の動作の説明］
【００６４】
写真シール作成装置１は、サーバ６０１や携帯端末７０１と連携し、大まかに、次のような動作を行う。最初に、図６を参照し、主に写真シール作成装置１がプレイを実行可能なるまでの写真シール作成装置１の基本的動作について説明する。次に、図７を参照し、写真シール遊戯システム９０１を用いて行われるプレイについて説明する。
【００６５】
図６は、写真シール作成装置１の基本的動作の一例を示すフローチャートである。
【００６６】
図６に示されるように、写真シール作成装置１が起動されると、ステップＳ２１において、起動時処理が行われる。ここでは、各種制御プログラム５０７の読み込み、実行や、必要に応じて、サーバ６０１との通信処理などが行われる。起動時処理において、サーバ６０１からアップデートデータや機能設定コマンド等が送信されると、制御部５０１は、それを写真シール作成装置１に適用する。これにより、サーバ６０１を介して、写真シール作成装置１の管理を行うことができる。なお、このような動作は行われなくてもよい。
【００６７】
なお、本実施の形態においては、起動時処理において、写真シール作成装置１の内部時計をネットワーク上の他の時刻と同期させる処理が行われる。これにより、写真シール作成装置１の内部時計が比較的正確に維持され、プレイ時刻の記録を正確に行うことができる。なお、このような時刻同期処理は、公知の種々の方法で行うようにすればよい。また、起動時に限らず、定期的に行うようにしてもよい（例えば、１日毎）。
【００６８】
ステップＳ２２において、制御部５０１は、デモ画面を外部モニタ５２１やその他のモニタなどに表示させる。
【００６９】
ステップＳ２３において、制御部５０１は、テストモードに入るかどうかを確認する。例えば、管理者にしかアクセスできない位置に配置されている所定のスイッチなどが操作されたとき、制御部５０１は、テストモードに入ると判断する。
【００７０】
また、ステップＳ２４において、制御部５０１は、プレイを行うための対価を受け付けたか否かを確認する。
【００７１】
対価が受け付けられるか、テストモードに入ると確認されるまでは、制御部５０１は、デモ画面を表示しながら待機する。
【００７２】
ステップＳ２３でテストモードに入ると判断された場合には、ステップＳ２６において、テストモードが実行される。テストモードでは、管理者により、写真シール作成装置１の種々の機能設定などを行うことができる。すなわち、テストモードは、機能設定用の動作モードである。テストモードが終了すると、再び、デモ画面の表示に戻る（Ｓ２２）。
【００７３】
ステップＳ２４でコイン投入部５２５に規定枚数のコインが投入されて対価が受け付けられたと判断されたとき、ステップＳ２５において、プレイが実行される。プレイは、図４に説明したようにして行われる。写真シール作成装置１を用いたプレイが終了すると、ステップＳ２２の動作に戻る。
【００７４】
図７は、ユーザのプレイ時における写真シール作成装置１とサーバ６０１との動作を大まかに示すシーケンス図である。
【００７５】
プレイを実行するために上述のようにユーザから写真シール作成装置１にコインが投入されると、プレイが開始される。この時点が、プレイ開始時刻として記録される。図７に示されるように、ステップＳ５１において、写真シール作成装置１は、撮影及び編集を行う。すなわち、図４において説明した、外部モニタ受付（Ｓ１）、撮影（Ｓ２）、及び落書き受付（Ｓ３）が行われる。ユーザは、編集段階において、落書き編集入力を行うことができる。
【００７６】
編集が終了すると、ユーザは、携帯端末７０１で取得したい画像を選択する操作を写真シール作成装置１に対して行う。また、ユーザは、画像を取得するための情報を受信するためのメールアドレスを入力する操作を写真シール作成装置１に対して行う。
【００７７】
ステップＳ５２において、写真シール作成装置１は、撮影画像に基づく送信画像データと、メールアドレスとを互いに関連付けて、サーバ６０１に送信する。このとき、写真シール作成装置１は、送信画像について、属性情報を合わせて送信する。属性情報としては、例えば、その送信画像について、画像ＩＤや、撮影日時、撮影モードやプレイコース名などの画像の種類に関する情報や、その他プレイに関する情報などが送信される。
【００７８】
ステップＳ５３において、写真シール作成装置１では、印刷が行われる。印刷が終了すると、シール排出口５７５から、印刷が完了したシート（シール）が排出される。
【００７９】
ステップＳ５４において、ユーザは、シール排出口５７５に排出されたシートを取得する。
【００８０】
一方、写真シール作成装置１からサーバ６０１にデータが送信されると、ステップＳ５５において、サーバ６０１は、送信された情報を受信する。
【００８１】
ステップＳ５６において、サーバ６０１では、受信した情報を用いて、データベース記録処理が行われる。
【００８２】
サーバ６０１は、受信した送信画像データに基づいて携帯端末機用の画像データを生成し、その画像データをユーザに取得させるための取得ページを通じて閲覧可能に保持する。取得ページは、例えばサーバ６０１のウェブサーバ機能によって外部から取得可能となるように、保持される。このとき、取得ページにアクセスするための取得用ＵＲＬが生成される。ステップＳ５７において、サーバ６０１は、取得用ＵＲＬ（取得ページアドレス）をユーザに送信する。このとき、例えば、写真シール作成装置１から送信されたメールアドレスを用いて、電子メールにより、ユーザの携帯端末７０１などに情報が送信される。
【００８３】
ステップＳ５８において、ユーザの携帯端末７０１は、取得用ＵＲＬを受信する。
【００８４】
ステップＳ５９において、ユーザは、携帯端末７０１を操作し、携帯端末７０１で動作するウェブブラウザなどを用いて、取得用ＵＲＬにアクセスする。
【００８５】
ステップＳ６０において、サーバ６０１は、取得ページのデータを携帯端末７０１に送信する。このとき、取得ページの表示時に閲覧される画像の携帯端末機用画像データも、携帯端末７０１に送信される。
【００８６】
ステップＳ６１において、携帯端末７０１は、取得した取得ページや画像のデータに基づいて、画像を含む取得ページを表示する。これにより、ユーザは、携帯端末機用の画像を、サーバ６０１から取得することができる。ユーザは、プレイを行った結果、シートを受け取ることができるとともに、携帯端末機用の画像を取得できる。したがって、ユーザにとって、プレイを行う楽しみが増加する。
【００８７】
次に、プレイにおける写真シール作成装置１の動作を具体的に説明する。写真シール作成装置１のプレイ時において、各段階の流れは、例えば次のようである。各動作は、制御部５０１の制御に基づいて行われる。なお、各処理において、外部モニタ５２１、操作モニタ５１７、編集モニタ５８１等の表示内容を中心に説明するが、画面表示に伴い、スピーカ５２７，５８７等を利用した音声案内が適宜行われる。
【００８８】
図８は、外部モニタ受け付けのプレイ時の流れについて説明するフローチャートである。
【００８９】
図８に示されるように、プレイが開始されると、ステップＳ１０１において、プレイの説明が行われる。例えば、外部モニタ５２１に画像を表示したり、スピーカ５２７から音声を出力したりすることで、プレイの一連の流れや後述のプレイコースについての説明が行われる。
【００９０】
ステップＳ１０２において、人数・プレイコース選択が受け付けられる。ユーザは、プレイする人数を、例えば、２人であるかそれより多い人数（多人数）であるかを選択する。また、本実施の形態においては、プレイにおける撮影態様に関して、クロマキー処理があるプレイコースと、クロマキー処理がないプレイコースとのいずれか一方の選択が受け付けられる。クロマキー処理があるプレイコースが選択された場合には、撮影パターンの選択や各ショットの写真画像に合成される背景の選択が受け付けられる。なお、クロマキー処理がないプレイコースでは、実際に撮影された背景のままの画像が得られる。
【００９１】
なお、このほか、生成できる画像の雰囲気に応じた複数のプレイコースの選択が受け付けられてもよい。すなわち、制御部５０１が、選択されたプレイコースをそのプレイのプレイコースとして決定し、以後、そのプレイコースに応じた所定の制御内容で、そのプレイについて制御を行うようにしてもよい。
【００９２】
ステップＳ１０３において、名前入力を受け付ける。例えば、ユーザに対して、名前入力を行わせる画面が表示される。入力された名前は、落書き編集時に使用されたり、背景やフレームなどのデザインの一部として使用されたりする。
【００９３】
ステップＳ１０４において、シートデザイン選択が受け付けられる。ユーザは、予め用意された複数のデザインテンプレートのうち、シートにプリントされる提供用画像の生成に用いられるものを選択する。制御部５０１は、このとき選択されたデザインテンプレートに基づいて、落書き受付後に提供用画像を生成する。
【００９４】
ステップＳ１０５において、制御部５０１は、撮影コーナーが空いているか（使用中でないか）を判断する。
【００９５】
ステップＳ１０５で撮影コーナーが空いていなければ、ステップＳ１０６において、制御部５０１は、撮影コーナーが空くまで、外部モニタ５２１にウェイト画面を表示させる。例えば、携帯端末でアクセス可能なウェブサイトの宣伝画面等をウェイト画面として表示させる。
【００９６】
ステップＳ１０５で撮影コーナーが空いていれば、ステップＳ１０７において、撮影コーナー誘導の画面表示が行われる。これにより、事前接客部５２０での各種操作が完了したユーザを、撮影コーナーへ誘導する。
【００９７】
制御部５０１は、事前接客部５２０で受け付けられた情報を用いて、撮影コーナーで撮影を行う。
【００９８】
図９は、撮影のプレイ時の流れについて説明するフローチャートである。
【００９９】
図９に示されるように、ステップＳ１２１において、制御部５０１は、操作モニタ５１７に、撮影開始画面を表示させる。ユーザに対して、撮影開始を促す画面が表示される。ユーザが操作モニタ５１７にタッチすることで、撮影シーケンスに移る。
【０１００】
ステップＳ１２２において、撮影シーケンスが開始される。撮影シーケンスにより、撮影画像が得られる。なお、本実施の形態では、１プレイにつき例えば５回の撮影が行われる。これにより、ユーザは、５枚の互いに異なる撮影画像に基づいて、写真シールの作成等や、サーバ６０１を介して提供される画像の取得を行うことができる。撮影回数は５回に限られず、それより多くても少なくてもよい。
【０１０１】
ステップＳ１２３では、目の写り選択や明るさ選択が行われる。ここでは、撮影画像をプレビュー表示させながら、複数の設定（例えば、各５段階の設定）のうちどれを適用するかが選択される。
【０１０２】
ステップＳ１２４において、制御部５０１は、落書きコーナーが空いているか（使用中でないか）を判断する。例えば、編集受付部５８０ａ，５８０ｂのいずれか一方でも他のユーザにより使用中でなければ、落書きコーナーが空いていると判断される。
【０１０３】
ステップＳ１２４で落書きコーナーが空いていなければ、ステップＳ１２５において、制御部５０１は、落書きコーナーが空くまで、操作モニタ５１７にウェイト画面を表示させる。ウェイト画面として、上述と同様の宣伝画面等を表示できる。
【０１０４】
ステップＳ１２４で落書きコーナーが空いていれば、ステップＳ１２６において、落書きコーナー誘導の画面表示が行われる。これにより、撮影が完了したユーザを、落書きコーナーへ誘導する。このとき、編集受付部５８０ａ，５８０ｂのうち、いずれか適切な方に移動するようにユーザに促すようにすればよい。例えば、「右の１番のらくがきコーナーに移動してね」などと案内すればよい。
【０１０５】
図１０は、落書き受け付けのプレイ時の流れについて説明する第１のフローチャートである。図１１は、落書き受け付けのプレイ時の流れについて説明する第２のフローチャートである。
【０１０６】
図１０に示されるように、落書き受け付けが開始されると、ステップＳ１３１において、制御部５０１は、編集モニタ５８１にデータ転送開始画面を表示させる。ここでは、撮影画像に対して、外部モニタで選択したプレイコースに関する情報や背景画像等、撮影コーナーで選択した目の写りや明るさ等に基づき作成された画像データが、撮影コーナーから落書きコーナーに転送される。そして、そのことを示す画面が表示される。
【０１０７】
ステップＳ１３２において、画面タッチが受け付けられる。ここでは、タッチペン５８３を用いて編集モニタ５８１のタッチ操作を受け付ける。タッチ操作が行われるか、所定の時間が経過すると、次の処理に進む。
【０１０８】
タッチ操作が受け付けられると、ステップＳ１３３において、落書き案内が行われる。ユーザに対して、落書き操作が開始されることが案内される。例えば、「次はらくがきだよ！」などと表示が行われる。画像データが転送されてから、この表示が行われている期間に、落書きに用いる画像データについての各種の処理が行われる。画像データについての処理が終了すると、次の処理に進む。
【０１０９】
ステップＳ１３４において、落書き編集が開始される。落書き編集は、編集モニタ５８１に落書き編集画面を表示し、ユーザからの操作を受け付けることで行われる。落書き編集画面には、撮影された画像に基づく画像が含まれる。例えば、落書き編集画面には、合成前画像が含まれる。ユーザは、各画像について、所定時間内に、落書き編集を行うことができる。落書き編集により、タッチペン５８３を用いて書き込むようにして行われた「ペン」と呼ばれる落書きを編集したり、ここまでのユーザの入力内容（名前入力等）に応じて生成された図柄や所定の図柄をタッチペン５８３により指定した位置に配置した「スタンプ」と呼ばれる落書きを編集したりすることができる。これらの落書きが行われると、落書きが含まれる編集画像が作成される。この編集画像と、合成前画像とを合成して、合成画像（落書きあり画像）が生成される。
【０１１０】
なお、画像について落書きが行われなかった場合には、落書きを含まない編集画像と元の画像とが合成され、落書きなし画像が生成される。なお、落書きなし画像は、見た目は合成前画像と変わらない画像である。そのため、以下では、落書きなし画像と合成前画像とを区別せず、写真画像ということがある。
【０１１１】
落書き編集が終了すると、ステップＳ１３５の処理が行われる。制御部５０１は、所定のデザインテンプレートが選択されているか否かを判断する。外部モニタ受け付けのプレイ時に、複数のデザインテンプレートのうち所定のものが選択されたときには、ステップＳ１３６の処理に進む。そうでない場合には、ステップＳ１３８の処理に進む。
【０１１２】
ステップＳ１３６において、特定レイアウト編集が行われる。特定レイアウト編集では、選択されているデザインテンプレートに基づいて提供用画像が生成されるとき、提供用画像に、落書きがない写真画像を含めるか、落書きを含む合成画像を含めるかが選択される。特定レイアウト編集が終了すると、ステップＳ１３８の処理に進む。
【０１１３】
図１１に示されるように、ステップＳ１３８において、送信画像選択処理が行われる。本実施の形態において、基本のプレイ時には、ユーザの携帯端末７０１に、例えばプレイによって作成された写真画像又は合成画像のうち１枚の画像を取得させることができる。制御部５０１は、携帯端末７０１に取得させる対象となる画像の選択操作をユーザから受け付ける。ユーザが取得可能となる画像の候補は、適宜設定することができる。例えば、個々の写真画像又は合成画像に加えて、上述のようにして生成される提供用画像が選択可能であってもよい。また、写真画像、合成画像、及び提供用画像のほか、追加的にユーザに提供可能となるおまけ画像が選択可能であってもよい。ユーザの選択によらず無料でユーザに提供されるように設定された画像がある場合、それ以外の画像から、ユーザが選択できるようにしてもよい。
【０１１４】
なお、ここでの選択結果にかかわらず、本実施の形態においては、すべての写真画像及び合成画像等のデータが写真シール作成装置１からサーバ６０１に送信される。ユーザがサーバ６０１にアクセスしたとき、サーバ６０１は、ユーザの属性に応じて、画像をユーザに提供する。具体的には、例えば、サーバ６０１は、ユーザが所定の有料会員登録を行ったユーザであるか否か（有料会員であるか無料会員であるか）を判別する。有料会員であるユーザには、提供対象となるすべての画像が提供される。他方、無料会員であるユーザでは、送信画像選択処理で選択された画像が提供される。なお、ユーザに対する画像の提供態様は、これに限られるものではない。
【０１１５】
ステップＳ１４０において、アドレス入力画面が表示される。ここでは、携帯端末７０１の電子メールアドレス等の入力が受け付けられる。電子メールアドレス等が入力されると、その情報がサーバ６０１に送信される。これにより、例えば、サーバ６０１は、ステップＳ１３８で選択された選択画像を取得可能にするＵＲＬを、電子メールなどの方法で携帯端末７０１に通知する。ユーザは、携帯端末７０１で当該ＵＲＬにアクセスすることで、別途写真シール作成装置１からサーバ６０１に送られた画像の中から、少なくとも選択画像を取得できる。
【０１１６】
なお、ステップＳ１４０のアドレス入力画面において、非接触通信（ＮＦＣ通信など）で送信することを選択できるようにしてもよい。これが選択されたとき、ステップＳ１４１において、非接触通信操作画面が表示される。制御部５０１は、非接触通信装置５８５を制御し、選択された画像を取得可能にするＵＲＬなどの情報を、非接触通信装置５８５にかざされた携帯端末７０１に送信できる。非接触通信操作画面には、ユーザが行うべき動作の説明などが含まれる。非接触通信操作画面は、携帯端末７０１への通信が成功するか、例えば「アドレス入力に戻る」ボタンが操作されるまで、表示されるようにすればよい。
【０１１７】
ステップＳ１４０で入力が完了すると、ステップＳ１４２において、制御部５０１は、印刷部（プリンタ）５９０が空いているか（使用中でないか）を判断する。
【０１１８】
ステップＳ１４２で印刷部５９０が空いていなければ、ステップＳ１４３において、制御部５０１は、印刷部５９０が空くまで、編集モニタ５８１に広告画面を表示させる。例えば、上述と同様のウェブサイト等の広告画面が表示される。
【０１１９】
ステップＳ１４２で印刷部５９０が空いていれば、ステップＳ１４４において、プリントが行われる。制御部５０１は、生成した提供用画像等の画像データを印刷部５９０に転送する。これにより、印刷部５９０によりシールの印刷が行われる。なお、印刷部５９０に用紙切れなどのエラーが発生している場合には、プリンタエラー画面が表示されるようにすればよい。このとき、メンテナンスを行うための連絡先などが表示される。
【０１２０】
ステップＳ１４５において、編集モニタ５８１には、落書きコーナー終了画面が表示される。印刷が完了するまで、シール排出口５７５の前で待機するように、ユーザに案内が行われる。これにより、シール排出口５７５からシールが排出され、一連のプレイが終了する。
【０１２１】
［落書き編集に関する説明］
【０１２２】
本実施の形態において、落書き編集は、次のような落書き編集画面（通常落書き画面）を表示して行われる。
【０１２３】
図１２は、落書き編集画面の一例を示す図である。
【０１２４】
図１２に示されるように、落書き編集画面１００は、同時に２人のユーザが落書き編集操作（「通常らくがき」と表現することもある）を行えるように構成されているものである。すなわち、落書き編集画面１００は、大まかに、左右の２つの編集画面１０１（１０１ａ，１０１ｂ）に分かれている。各編集画面には、後述する残り時間表示１１９や、一部の表示（日付や名前を変更するための表示）を除き、同様の機能を示すアイコンや画像等が配置されている。なお、以降の編集画面の説明は、左側の１人のユーザ用に割り当てられている領域ＬＨを参照して行うことがあり、編集画面１０１ａ，１０１ｂを特に区別せず、それぞれを総称して編集画面１０１という。
【０１２５】
編集画面１０１には、落書き対象画像１１１、サムネイル部１１３、パレット１１５、簡単らくがき設定ボタン１１６、コマンドアイコン１１７（１１７ａ，１１７ｂなど）、及び残り時間表示１１９などが含まれている。サムネイル部１１３には、撮影された写真に基づく画像、すなわち撮影コーナーから送られた画像又はそれに落書きを加えた後の画像がサムネイル表示される。落書き対象画像１１１には、サムネイル部１１３のうち編集対象として選択された画像が表示される。ユーザは、落書き編集画面１００に表示されている画像について、パレット１１５などを操作し、画像上への文字や図形の配置（いわゆる「落書き」。具体的には、線や文字の書き込みや所定のスタンプ画像や枠画像などの貼り付けなど。）を行うことができる。また、ユーザは、簡単らくがき設定ボタン１１６を操作することで、顔判別処理などにより自動的に文字や図形を配置させ、その画像についての落書きを行うこともできる。コマンドアイコン１１７としては、編集終了ボタン１１７ａや、アンドゥ・リドゥボタン１１７ｂなど、種々の動作を実行させるためのボタンが表示されており、これらを用いてユーザが直感的な操作を行うことができる。残り時間表示１１９には、例えば、ユーザに落書き編集を行うことが許可されている時間のうち、既に経過した時間を除く残り時間が秒数で表示される。ユーザは、表示されている時間内に、落書き編集や、後述のおまけ画像の編集作業を行う必要がある。
【０１２６】
サムネイル部１１３に表示されている複数の画像は、同一のプレイ時において、左右のユーザで、共同で編集可能なものである。一方のユーザが編集対象としている画像については、サムネイル部１１３においては「らくがき中」などとその旨を示す表示を伴って表示され、他方のユーザが編集対象として選択することができないように制御される。このような排他的な制御が行われることにより、各画像の編集を２人のユーザで効率的に進めることができる。
【０１２７】
ここで、本実施の形態においては、落書き編集画面１００には、おまけ画像の作成（「おまけらくがき」と表現することもある）を行うために操作される作成ボタン１１８が含まれる。すなわち、落書き編集においては、ユーザに対して、シール紙に反映される落書き以外のおまけ画像の作成作業も受け付ける。
【０１２８】
作成ボタン１１８は、所定の条件が満たされたときに表示される（「出現」する。）。例えば、作成ボタン１１８は、落書き編集の開始から所定の時間が経過したり、サムネイル部１１３に表示されているすべての画像に対する落書きが一通り行われたりした場合に、出現するようにすればよい。これにより、完成度の高いシールを出力するために必要な落書きがほとんど行われないままに、落書き編集操作に割り当てられている制限時間のほとんどがおまけ画像の作成作業に費やされてしまうことを防止できる。したがって、総合的に、ユーザの満足度を大きく高めることができる。作成ボタン１１８が表示されるまでは、作成ボタン１１８が表示されるべき領域に例えば破線で囲まれた予備画像が表示されるようにしてもよいし、作成ボタン１１８の色を淡色にした画像やグレースケールにした画像を表示することで、これに代えてもよい。また、作成ボタン１１８の出現まで、何ら画像を表示させないようにしてもよい。作成ボタン１１８が、落書き編集が開始された当初から表示されるようにしてもよい。
【０１２９】
作成ボタン１１８としては、２つのボタン（第１の作成ボタン１１８ａ、第２の作成ボタン１１８ｂ）が表示されている。本実施の形態において、おまけ画像として、２種類の画像を作成可能である。すなわち、第１の作成ボタン１１８ａを操作することで、撮影された画像の一部を切り取った切り取り画（切り取り画像）を作成できる（この機能を「切り取り画作成」ということがある。）。また、第２の作成ボタン１１８ｂを操作することで、撮影された画像を用いたコラージュ（コラージュ画像）を作成できる（この機能を「コラージュ作成」ということがある。）。
【０１３０】
切り取り画は、それまでのプレイで撮影されて得られた一の画像を部分的に切り取る（トリミングする）ことで作成されるトリム後画像（トリミング後の画像）や、そのトリム後画像とフレーム画像とを合成して得られる合成画像や、それらに落書きを行った編集画像を合成して得られる合成画像（トリム後画像と編集画像とを合成した画像や、トリム後画像とフレーム画像と編集画像とを合成した画像）である。
【０１３１】
コラージュ画像は、それまでのプレイで撮影されて得られた複数の画像やそのトリム後画像と、落書き画像やテンプレート画像とを組み合わせて作成される画像である。
【０１３２】
なお、例えば、作成するおまけ画像の用途に合わせて、「ブログ用ボタン」や「ＳＮＳ用ボタン」など、他の名称で作成ボタン１１８を表示してもよいし、作成ボタン１１８として編集画面１０１には単一のボタンを表示するようにしてもよい。作成ボタン１１８として単一のボタンを表示するようにした場合、作成ボタン１１８の操作があったときに遷移する画面において、切り取り画とコラージュとのいずれの作成を行うか選択を求める画面をユーザに提示することで、切り取り画とコラージュとのうちユーザが指定する方の画像の作成を行うことができるようにしてもよい。
【０１３３】
なお、サーバ６０１に、上述のように切り取り画やコラージュ画像が送信されたとき、ユーザは、次のようにして携帯端末７０１を用いてサーバ６０１にアクセスすることにより、それらの画像を取得できる。次で説明するサーバ６０１の動作は、サーバ６０１の制御部６５０が、制御プログラム６０７を実行してサーバ６０１の各部を制御することにより行われる。
【０１３４】
サーバ６０１は、ユーザの所有する携帯端末７０１からのアクセスに応じて、携帯端末７０１に対して情報を提供する。また、ユーザにより携帯端末７０１に入力された操作に応じた情報を携帯端末７０１から受信し、その操作に応じて処理を行う。具体的には、サーバ６０１は、携帯端末７０１で動作するウェブブラウザの動作に応じて、ウェブサーバとして機能する。そして、ＨＴＭＬ（ハイパーテキスト記述言語）で記述された文書など、ウェブページ情報や画像情報を適宜携帯端末７０１に提供することで、表示部７１３にユーザが閲覧可能な画面を表示させる。なお、サーバ６０１が、携帯端末７０１で動作する所定のアプリケーションに対して所定の形式の情報や画像情報を提供することで、表示部７１３に画面表示が行われるように構成されていてもよい。
【０１３５】
図１３は、落書き編集時の動作を示すフローチャートである。
【０１３６】
図１３に示されるように、落書き編集時には、落書き時間が終了（落書きに与えられた期間が満了）するまで、適宜、通常落書きやおまけ落書きを行うことができる。
【０１３７】
すなわち、落書き編集が開始されると、ステップＳ３０１において、通常落書き画面（落書き編集画面１００）が表示され、通常落書きを行うことができるようになる。これに伴い、落書き時間の計時が開始される。
【０１３８】
ステップＳ３０３において、制御部５０１は、切り取り画を作成するか否か（切り取り画の作成モードに入るか否か）を判断する。通常落書きが行われているときに第１の作成ボタン１１８ａが操作されると、切り取り画を作成すると判断される。
【０１３９】
ステップＳ３０３において作成すると判断されると、ステップＳ３０４において、制御部５０１は、切り取り画作成を行う。切り取り画作成が一旦完了すると、落書き編集画面１００に戻る（ステップＳ３０１に戻る。）。
【０１４０】
ステップＳ３０５において、制御部５０１は、コラージュを作成するか否か（コラージュの作成モードに入るか否か）を判断する。通常落書きが行われているときに第２の作成ボタン１１８ｂが操作されると、コラージュを作成すると判断される。
【０１４１】
ステップＳ３０５において作成すると判断されると、ステップＳ３０６において、制御部５０１は、コラージュ作成を行う。コラージュ作成が一旦完了すると、落書き編集画面１００に戻る（ステップＳ３０１に戻る。）。
【０１４２】
なお、切り取り画作成やコラージュ作成が行われているとき、切り取り画やコラージュが未完成であっても（作成途中であっても）、一旦作成を中断して通常落書き画面に戻ることができる（Ｓ３０１）。このような場合でも、再度作成ボタン１１８が操作されたとき、各画像の作成を再開できる（Ｓ３０４，Ｓ３０６）。
【０１４３】
ステップＳ３０７において、制御部５０１は、落書き時間が終了したか否かを判断する。落書き時間が終了するまで、ステップＳ３０１〜Ｓ３０６の処理が行われる。すなわち、ユーザは、落書き時間が終了するまで、通常落書き、切り取り画作成、及びコラージュ作成のいずれかを行うことができる。
【０１４４】
ステップＳ３０７において落書き時間が終了すると、ステップＳ３０８において、落書き編集が終了される。その後は、図１３に示される動作が引き続き行われる。
【０１４５】
なお、上述のステップＳ３０１〜３０６の処理は、編集画面１０１の左右のユーザでそれぞれ独立して行われるようにすればよい。すなわち、２人のユーザの一方が通常落書きを行っているとき、他方のユーザが切り取り画の作成やコラージュの作成を行うことが可能である。落書き時間は、各ユーザに共通して計時されるようにすればよい。
【０１４６】
落書き編集時においては、大まかに、ユーザの操作等に応じて編集画面が遷移する。これにより、それぞれ適した編集画面が表示されている状態で、「通常らくがき」を行ったり、切り取り画の作成やコラージュの作成を行ったりすることができる。
【０１４７】
図１４は、写真シール作成装置１における画像の合成について説明する図である。
【０１４８】
図１４に示されるように、写真シール作成装置１は、例えば６つの画像レイヤ（クロマキー処理があるプレイコースでのプレイの場合）を合成することで、提供用画像を生成する。すなわち、背方から、背景レイヤ９５１と、背部落書きレイヤ９５２と、撮影画像レイヤ９５３と、特別編集レイヤ９５４と、落書きレイヤ９５５と、フレームレイヤ９５６とが合成されて、画像が生成される。
【０１４９】
撮影画像レイヤ９５３には、撮影画像をクロマキー処理して、背景部分を透過した、ユーザの人物画像が配置される。撮影画像レイヤ９５３と背景レイヤ９５１とが合成されて、合成前画像が生成される。なお、クロマキー処理がないプレイコースでのプレイの場合には、撮影画像レイヤ９５３が合成前画像となり、背部落書きレイヤ９５２と背景レイヤ９５１とは用いられない。
【０１５０】
背部落書きレイヤ９５２、落書きレイヤ９５５、及びフレームレイヤ９５６は、編集画像が配置されるレイヤである。特別編集レイヤ９５４は、特別編集画像が配置されるレイヤである。これらのレイヤには、落書き編集画面１００で落書き編集操作が行われることで、編集画像及び特別編集画像（以下、これらを互いに区別しない場合にはまとめて編集画像と総称することがある。）が配置される。
【０１５１】
背部落書きレイヤ９５２は、人物が写った部分が妨げられないように編集画像を付加するときに用いられる。フレームレイヤ９５６は、例えば、フレーム画像を編集画像として付加するときに用いられる。落書きレイヤ９５５は、落書き編集において、画像の前面に編集画像を付加するときに用いられる。
【０１５２】
特別編集レイヤ９５４は、例えば、通常の落書き編集の対象とは異なる所定の要素に関する特別編集画像が加えられるレイヤである。特別編集レイヤ９５４は、ユーザの唇部分などの特定の領域に対する特別編集画像であって通常の落書き編集において編集対象（ペン、スタンプなど）とはならないものを付加するときや、プリセットされたテンプレートなどに応じて少ない操作数で落書きのような特別編集画像を付加するとき（簡単落書き機能）などに用いられる。具体的には、例えば、口紅などのメイクを施したように編集する機能や、カラーコンタクトを装着したように編集する機能や、つけまつげを装着したように編集する機能等、メイクアップを模した編集を行う場合に用いられる。また、所定の眼鏡様の画像や帽子用の画像等を付加するものなど、ユーザの身体の特定の部位の位置に基づいて画像を付加する編集を行う場合に用いられる。
【０１５３】
ユーザが編集操作を行うと、その操作結果に基づいて、これらのレイヤ９５２，９５４〜９５６に編集画像が配置される。落書きあり画像は、撮影画像レイヤ９５３及び背景画像９５１と、落書き編集により配置された編集画像が含まれるレイヤ９５２，９５４〜９５６とを重ね合わせることで生成される。
【０１５４】
写真シール作成装置１は、レイヤ９５２，９５４〜９５６に編集画像が配置されているか否かを落書き編集の終了時に判定することにより、合成画像が落書きあり画像であるか否か（すなわち落書きが行われたか否か）を判定することができる。いずれかのレイヤに編集が含まれるとき、落書きが行われ、合成画像が落書きあり画像であると判定する。
【０１５５】
なお、落書き編集画面１００で編集操作が一旦行われた場合であっても、それにより加えられた編集がその後すぐに消去されるなどして、落書き編集の終了時に編集画像が残っていないときには、写真シール作成装置１は、合成画像が落書きあり画像ではない（すなわち落書きが行われなかった）と判定する。このような判定を行うタイミングは、例えば送信処理時等、編集操作が終了した後であれば、いずれのタイミングであってもよい。
【０１５６】
また、写真シール作成装置１は、これらの画像レイヤのうち特定のレイヤを除いて合成するようにしてもよい。例えば、特別編集レイヤ９５４の特別編集画像のみが合成前画像と合成されて合成画像が生成されるようにしてもよい。また、例えば、背部落書きレイヤ９５２と落書きレイヤ９５５とに含まれる編集画像を用いず、フレームレイヤ９５６の編集画像と特別編集画像とを合成画像の生成に用いるようにしてもよい。生成する画像の用途等を鑑みて予め設定された合成パターンで、特別編集画像と、通常の編集画像と、合成前画像とのうち合成される画像同士が合成され、合成画像が生成されるようにすればよい。
【０１５７】
［デザインテンプレートの選択及び提供用画像についての説明］
【０１５８】
本実施の形態において、シートデザイン選択で選択可能な複数のデザインテンプレートは、大まかに、通常テンプレートと、多分割テンプレートと、高デザイン性テンプレート（所定のデザインテンプレートの一例）との３つの種類に分かれている。各種類について複数のデザインテンプレートが予め用意されている。これらのテンプレートは、写真画像や合成画像の配置に関する考え方や、シートの出力方法等が互いに異なるものである。
【０１５９】
図１５は、デザインテンプレートの種類を説明する図である。
【０１６０】
図１５に示されるように、通常テンプレートは、撮影時のままの縦横比の写真画像や合成画像を用いるものである。シートのうち、写真画像や合成画像がない領域（シート背景）の面積は、比較的狭い。シートは、プリントに用いる用紙を副走査方向（用紙の搬送方向）に沿って２等分されて出力される。すなわち、主走査方向が短辺となる２枚のシートが出力される。
【０１６１】
通常テンプレートは、シールに印刷された個々の写真画像等の部分を切り取って使用することを想定した場合に用いられるデザインテンプレートである。２人のユーザの各々が個別に編集等を行って、それぞれ１枚ずつのシートを得ることが想定されている。
【０１６２】
また、多分割テンプレートは、撮影時のままの縦横比の写真画像や合成画像を用いるものである。シートのうち、シート背景の面積は、比較的狭い。シートは、プリントに用いる用紙をカットすることなく、大判のまま１枚で出力される。
【０１６３】
多分割テンプレートは、シールに印刷された個々の写真画像等の部分を切り取って使用することを想定した場合に用いられるデザインテンプレートである。特に、通常テンプレートと比較して、小型の画像が多数含まれるものである。多分割テンプレートは、特に、３人以上でプレイされる場合に適したものである。
【０１６４】
高デザイン性テンプレートは、写真画像や合成画像以外の予めデザインされた画像が含まれたり、写真画像や合成画像の配置態様が通常テンプレートにおける配置態様とは大きく異なったりしているデザインテンプレートである。高デザイン性テンプレートにおいては、必ずしも撮影により得られた写真画像と縦横比が同じ画像が用いられるとは限らず、テンプレートによってはトリミングされた写真画像が含まれる。また、テンプレートによっては、配置される写真画像や合成画像には、フィルタ加工（例えば、セピア風加工や、モノクロ風加工など）が行われる場合もある。フィルタ加工は、基本的には、通常テンプレートや多分割テンプレートにおいて配置される合成画像には行われない。シートにプリントされる提供用画像は、写真画像又は合成画像が配置される第１の領域と、各テンプレートに基づく各テンプレート固有の画像が含まれる第２の領域（シート背景）とを有している。第１の領域は複数が設けられている。すなわち、１つの提供用画像に、写真画像又は合成画像が複数配置される。第２の領域は、テンプレート中で、第１の領域以外の領域である。そして、第２の領域は、他種のテンプレートと比較して、広めに確保されている。
【０１６５】
高デザイン性テンプレートが選択されたとき、シートは、プリントに用いる用紙をカットすることなく、大判のまま１枚で出力される。ただし、出力される１枚のシートには、主走査方向が長辺となるように２つの提供用画像が割り付けられており、出力されたシートを２分割することができるようになっている。
【０１６６】
高デザイン性テンプレートは、２人のユーザの各々が個別に編集等を行って、それぞれ１枚ずつのシートを得ることが想定されている。高デザイン製テンプレートは、各提供用画像のシートが全体として統一感のあるものになるように、各写真画像又は合成画像が配置されたりテンプレートに基づく画像が配置されたりしているものである。
【０１６７】
なお、いずれのデザインテンプレートを指定した場合も、１回のプレイにつき出力されるシートの合計面積は、同一である。
【０１６８】
本実施の形態において、２人のプレイ時には、３種類のすべてのデザインテンプレートが選択可能である。他方、３人以上のプレイ時には、例えば、通常テンプレートと多分割テンプレートとが選択可能である。なお、例えば、２人のプレイ時には、通常テンプレート及び高デザイン性テンプレートのみが選択可能にされていてもよい。
【０１６９】
シートデザイン選択が行われるとき、外部モニタ２１には、例えば以下のような構成のテンプレート選択画面２０１が表示される。制御部５０１は、テンプレート選択画面２０１をユーザに提示した状態で、ユーザの選択操作を受け付ける。受付結果に基づいて、制御部５０１は、そのプレイにおける提供用画像の生成に用いられるデザインテンプレートを選択する。
【０１７０】
このとき、撮影前であるため、ユーザの写真を利用して提供用画像のプレビュー表示を行うことは不可能である。そのため、予め用意されたサンプル画像を用いて提供用画像のイメージ画像を提示して、シートデザイン選択が行われる。なお、写真画像が用いられるか合成画像が用いられるかに関する設定や、それらの画像に付加されるフレームの配置等は、デザインテンプレート毎に、デフォルト状態が定められている。シートデザイン選択においては、各デザインテンプレートのデフォルト状態における提供用画像のイメージ画像が表示されるようにすればよい。
【０１７１】
図１６は、本実施の形態におけるテンプレート選択画面２０１を示す第１の図である。
【０１７２】
図１６に示されるように、テンプレート選択画面２０１では、３つのデザインテンプレートの種類毎に選択可能なデザインテンプレートが分けられている。選択するデザインテンプレートの種類を切り替えるには、タブ型のユーザインターフェースが用いられている。なお、デザインテンプレートの種類は、１プレイにつき１つのみが選択できる。すなわち、２名でのプレイが行われる場合、一方のユーザが通常テンプレートを選択し、他方のユーザが高デザイン性テンプレートを選択するということはできない。
【０１７３】
テンプレート選択画面２０１には、通常タブ２１０（「切れてる分割」タブ）、多分割タブ２２０及び高デザイン性タブ２３０（「いけてる分割」タブ）が設けられている。図１６においては、通常タブ２１０が選択された状態が示されている。テンプレート選択画面２０１には、その他、プレビューエリア２０３や決定ボタン２０５などが含まれている。プレビューエリア２０３及び決定ボタン２０５は、２つのテンプレートを選択可能である場合には（通常テンプレート又は高デザイン性テンプレートが選択される場合には）、左右２箇所に設けられる。１つのテンプレートのみが選択可能な場合には（多分割テンプレートが選択される場合には）、１箇所にのみ設けられる。
【０１７４】
通常タブ２１０が選択されている場合において、テンプレート選択画面２０１には、左右のユーザ毎に、例えば４つのデザインテンプレート２１１（２１１ａ，２１１ｂ，２１１ｃ，２１１ｄ）が選択候補として表示される。このデザインテンプレート２１１の選択候補は、予め用意されたサンプル画像（図示せず；図においては斜線部として示す）が実際に配置される合成画像に代えて配置されたものである。デザインテンプレート２１１のうち１つを選択すると、そのデザインテンプレート２１１を用いて出力されるシートのプレビュー表示が、プレビューエリア２０３に表示される。ユーザは、所望のデザインテンプレート２１１を選択したうえで決定ボタン２０５を操作することで、デザインテンプレート２１１を選択することができる。
【０１７５】
図１７は、本実施の形態におけるテンプレート選択画面２０１を示す第２の図である。
【０１７６】
図１７においては、多分割タブ２２０が選択候補として選択されている場合が示されている。図１７に示されるように、多分割タブ２２０が選択されている場合において、テンプレート選択画面２０１には、例えば３つのデザインテンプレート２２１（２２１ａ，２２１ｂ，２２１ｃ）が選択候補として表示される。このデザインテンプレート２２１の選択候補は、予め用意されたサンプル画像（図示せず；図においては斜線部として示す）が実際に配置される合成画像に代えて配置されたものである。デザインテンプレート２２１のうち１つを選択すると、そのデザインテンプレート２２１を用いて出力されるシートのプレビュー表示が、プレビューエリア２０３に表示される。ユーザは、所望のデザインテンプレート２２１を選択したうえで決定ボタン２０５を操作することで、デザインテンプレート２２１を選択することができる。
【０１７７】
図１８は、本実施の形態におけるテンプレート選択画面２０１を示す第３の図である。
【０１７８】
図１８においては、高デザイン性タブ２３０が選択候補として選択されている場合が示されている。図１８に示されるように、高デザイン性タブ２３０が選択されている場合において、テンプレート選択画面２０１には、左右のユーザ毎に、例えば４つのデザインテンプレート（高デザイン性テンプレート）２３１（２３１ａ，２３１ｂ，２３１ｃ，２３１ｄ）が選択候補として表示される。この高デザイン性テンプレート２３１の選択候補は、実際には写真画像又は合成画像が配置される第１の領域（図において斜線部として示すされている）２３２に、それらの画像に代えて、予め用意されたサンプル画像（図示せず）が配置されたものである。それぞれの高デザイン性テンプレート２３１のうちそのテンプレートに固有の第２の領域２３４には、実際と同様の画像が示される。高デザイン性テンプレート２３１のうち１つを選択すると、その高デザイン性テンプレート２３１を用いて出力されるシートのプレビュー表示が、プレビューエリア２０３に表示される。ユーザは、所望の高デザイン性テンプレート２３１を選択したうえで決定ボタン２０５を操作することで、高デザイン性テンプレート２３１を選択することができる。なお、後述のとおり、高デザイン性テンプレート２３１に基づいて提供用画像が生成される場合には、落書きがない状態がデフォルト状態となる。そのため、テンプレート選択画面２０１において表示されるサンプル画像は、落書きのサンプル画像等が合成されていない、モデル等の人物写真の画像であることが望ましい。
【０１７９】
ここで、本実施の形態において、高デザイン性テンプレート２３１が選択されたとき、ユーザは、その第１の領域２３２に落書きなしの写真画像を配置するか、落書きありの合成画像を配置するかを切り替えることができる。すなわち、高デザイン性テンプレート２３１が選択されたとき、ユーザは、提供用画像に落書きを反映するか否かを選択することができる（落書きオン／オフ機能）。この落書きオン／オフ機能は、制御部５０１の制御に基づいて、落書き受付時の、特定レイアウト編集において有効になる。
【０１８０】
テンプレート選択画面２０１において高デザイン性タブ２３０が選択されているとき、高デザイン性テンプレート２３１が落書きオン／オフ機能による特定レイアウト編集の対象であることがわかるように、特定レイアウト通知２０７がテンプレート選択画面２０１上に表示される。特定レイアウト通知２０７には、例えば、「らくがきＯＮ／ＯＦＦをきりかえできるよ」などの文言が含まれる。特定レイアウト通知２０７は、例えば、プレビューエリア２０３に表示されるが、これに限られるものではない。例えば、高デザイン性タブ２３０の付近にポップアップ表示されたり、吹き出し状に表示されたりしてもよい。
【０１８１】
なお、上述では複数の高デザイン性テンプレート２３１のすべてが特定レイアウト編集の対象となっているが、これに限られるものではない。例えば、高デザイン性テンプレート２３１のうち特定のものが選択されたときに、特定レイアウト編集により落書き反映選択が行われるようにしてもよい。このとき、高デザイン性テンプレート２３１のうち落書き反映選択の対象ではないものが選択されたときには、その第１の領域２３２に落書きなしの写真画像が自動的に配置されたり、落書きがある合成画像が自動的に配置されたりするようにすればよい。
【０１８２】
また、選択できる高デザイン性テンプレート２３１の数は、３つ以下であったり、５つ以上であったりしてもよい。
【０１８３】
図１９は、高デザイン性テンプレート２３１の例を示す図である。
【０１８４】
図１９においては、８例の高デザイン性テンプレート２３１（２３１ａ−２３１ｈ）が示されている。
【０１８５】
図１９に示されるように、本実施の形態において、高デザイン性テンプレート２３１ａ，２３１ｂ，２３１ｃ，２３１ｄ，２３１ｅ，２３１ｆは、落書きオン／オフ機能の対象となるものである。すなわち、これらの高デザイン性テンプレート２３１ａ，２３１ｂ，２３１ｃ，２３１ｄ，２３１ｅ，２３１ｆが選択されたとき、特定レイアウト編集が行われる。これらの高デザイン性テンプレート２３１ａ，２３１ｂ，２３１ｃ，２３１ｄ，２３１ｅ，２３１ｆでは、落書きがない状態がデフォルト状態となる。すなわち、それぞれの第１の領域２３２に、落書きがない、写真画像が配置された状態が、デフォルト状態になる。
【０１８６】
なお、本実施の形態において、高デザイン性テンプレート２３１ａ，２３１ｂ，２３１ｃ，２３１ｄ，２３１ｅ，２３１ｆに対して写真画像が配置されるとき、その写真画像は、通常の編集画像は含まれないが、特別編集画像は含まれるものである。すなわち、合成前画像に、口紅やカラーコンタクト等に関する特別編集画像の編集結果が合成された状態の写真画像が用いられ、提供用画像が生成される。
【０１８７】
これに対して、高デザイン性テンプレート２３１ｇ，２３１ｈは、落書きオン／オフ機能の対象とならないものである。これらの高デザイン性テンプレート２３１ｇ，２３１ｈが選択されたときには、落書きがある合成画像が第１の領域２３２に含められ、提供用画像が生成される。この場合、特定レイアウト編集は行われない。
【０１８８】
ここで、本実施の形態において、写真画像や合成画像のもともとの縦横比は、アップ画像（胸部から上方が納まる範囲の画像）で１．２：１であって、全身画像（頭部から足部まで納まる範囲の画像）で５：３である。高デザイン性テンプレート２３１ａ，２３１ｂ，２３１ｃ，２３１ｄ，２３１ｅは、これらの画像の一部又は全部の縦横比を変更して配置するものである。換言すると、高デザイン性テンプレート２３１ａ，２３１ｂ，２３１ｃ，２３１ｄ，２３１ｅは、第１の領域２３２に、写真画像とは縦横比が異なる画像を含むものである。
【０１８９】
例えば、写真画像や合成画像のうち、所定の領域に配置されるアップ画像は、正方形にトリミングしたうえで配置される。また、アップ画像と全身画像とを撮影したプレイにおいて、アップ画像であれば正方形にトリミングされる領域に全身画像が配置されるとき、全身画像はトリミングしないようにして、デザイン性を損なわないようにして配置される。なお、アップ画像であるか全身画像であるかにかかわらず、所定の領域に配置される画像は、すべて一律にトリミングされるようにしてもよい。
【０１９０】
高デザイン性テンプレート２３１ｃ，２３１ｄ，２３１ｅ，２３１ｆでは、クロマキー処理があるプレイコースをユーザが選択している場合には、ユーザが選択した背景画像ではなく、それぞれの高デザイン性テンプレート２３１ｃ，２３１ｄ，２３１ｅ，２３１ｆの専用の背景が用いられる。すなわち、これらの高デザイン性テンプレート２３１ｃ，２３１ｄ，２３１ｅ，２３１ｆに基づいて生成された提供用画像において、各写真画像や合成画像の背景は、その提供用画像とは別に生成される写真画像又は合成画像の背景と異なる。なお、クロマキー処理がないプレイコースが選択された場合は、人物のみを抽出できないため、撮影されたときの背景がそのまま使用される。
【０１９１】
高デザイン性テンプレート２３１ｆは、合成画像又は画像全体に対するフィルタ加工があるものである。フィルタ加工の種類は、例えば、セピア風加工や、モノクロ風加工であるが、これに限られるものではない。フィルタ加工は、編集画像が合成された状態で行われる。すなわち、編集画像部分にも、フィルタ加工が行われる格好となる。その一方で、写真上に配置されているロゴや、入力した名前等、予め設定された要素に対しては、フィルタ加工は行われない。なお、これに限られるものではない。
【０１９２】
なお、高デザイン性テンプレート２３１ｈにおいては、２枚の画像が互いにずれながら重なるようにして配置される第１の領域２３２が含まれる。このとき、下側にある画像については、合成画像を用いず、編集画像が合成されていない写真画像が配置されるようにすればよい。なお、このように複数の画像が互いに重なるような場合において、下側にある画像について写真画像が配置されるか合成画像が配置されるかは、制御部５０１により自動的に設定されるようにしてもよい。例えば、重なる場合には、一律に写真画像が配置されるようにしてもよいし、下側の画像が上側の画像により覆われる割合や覆われる位置と、それに関して予め設定された条件とに従って、写真画像が配置されるか合成画像が配置されるかが設定されるようにしてもよい。
【０１９３】
高デザイン性テンプレート２３１ｅにおいて、人物は、非矩形のデザイン要素上に配置されている。このような提供用画像をプリントしたシールは、ひとつひとつの人物画像部分及びその周りのデザイン要素毎を切り取って使用してもらうのに好適である。なお、図において、人物がその周辺のデザイン要素の外枠からはみ出しているようにして配置されるが、人物がその周辺のデザイン要素に囲まれるようにして配置されるようにしてもよい。また、クロマキー処理を行わないプレイコースでプレイが行われた場合には、このように人物を切り抜いて配置することができないので、矩形の写真画像を撮影時の背景毎配置するようにすればよい。
【０１９４】
特定レイアウト編集は、例えば、以下のようにして行われる。
【０１９５】
図２０は、特定レイアウト編集画面３０１の一例を示す図である。
【０１９６】
特定レイアウト編集は、特定レイアウト編集画面３０１が表示された状態で行われる。制御部５０１は、特定レイアウト編集画面３０１に対して行われたユーザの切替操作に応じて、選択された高デザイン性テンプレート２３１に基づいて生成される提供用画像の第１の領域２３２に、写真画像を含めるか合成画像を含めるかを切り替える。ユーザの切替操作が行われたとき、写真画像を含めるか合成画像を含めるかの切替えは、複数の第１の領域２３２のすべてについて行われる。
【０１９７】
図２０に示されるように、特定レイアウト編集画面３０１は、落書き編集時と同様に、左右で２人のユーザがそれぞれ操作を行うことができるように構成されている。各ユーザには、落書きがある合成画像が含まれる状態の提供用画像のプレビュー表示（落書きＯＮ表示）３０３ａ，３０４ａと、落書きがない写真画像が含まれる状態の提供用画像のプレビュー表示（落書きＯＦＦ表示）３０３ｂ，３０４ｂと、決定ボタン３０５とが含まれる。ユーザは、表示された落書きＯＮ表示３０３ａ，３０４ａと落書きＯＦＦ表示３０３ｂ，３０４ｂとのいずれか一方を選択した状態で、決定ボタン３０５を操作することにより、切替操作を行うことができる。
【０１９８】
決定ボタン３０５が操作されると、そのときの選択状況が確定され、確定した内容に従って写真画像又は合成画像を用いて、提供用画像が生成される。ここで、写真画像は、通常の編集画像は含まれないが、特別編集画像は含まれるものである。したがって、ユーザの切替操作にかかわらず、特別編集画像の編集結果は、提供用画像に反映されることになる。
【０１９９】
各プレビュー表示３０３ａ，３０３ｂ，３０４ａ，３０４ｂは、それぞれのユーザがシートデザイン選択において選択した高デザイン性テンプレート２３１に基づいて表示される。プレビュー表示３０３ａ，３０３ｂ，３０４ａ，３０４ｂは、特定レイアウト編集画面３０１において表示されるために落書き編集の終了時に生成されるようにしてもよいし、選択された高デザイン性テンプレート２３１に基づく画像と合成画像及び写真画像とをそれぞれ画面上に表示し、見かけ上は提供用画像に見えるようにして表示されるようにしてもよい。
【０２００】
なお、特定レイアウト編集は、上述とは異なる態様の画面を表示した状態で行われるようにしてもよい。
【０２０１】
図２１は、本実施の形態の一変形例に係る特定レイアウト編集画面３３１を示す図である。
【０２０２】
図２１に示されるように、特定レイアウト編集画面３３１においては、上述のプレビュー表示３０３ａ，３０３ｂ，３０４ａ，３０４ｂのうち、そのとき選択されているものが表示され、選択されていない場合には表示されない。特定レイアウト編集画面３３１には、切替ボタン３３２が表示されている。切替ボタン３３２が操作されると、その操作に応じて、特定レイアウト編集画面３３１に落書きＯＮ表示３０３ａ，３０４ａが表示されるか落書きＯＦＦ表示３０３ｂ，３０４ｂ表示されるかが切り替えられる。切替えは、左右のユーザ毎に行うことができる。
【０２０３】
図２１に示される例においては、左側のユーザは、落書きがない写真画像の方を選択している。したがって、落書きＯＦＦ表示３０３ｂが表示されている。右側のユーザは、落書きがある合成画像の方を選択している。したがって、落書きＯＮ表示３０４ａが表示されている。このような状態で決定ボタン３０５が操作されると、その選択状況が確定され、確定した内容に従って写真画像又は合成画像を用いて、提供用画像が生成される。
【０２０４】
［実施の形態における効果］
【０２０５】
以上説明したように、本実施の形態においては、所定の高デザイン性テンプレート２３１が選択されたときには、ユーザによる特定レイアウト編集を経た結果に基づいて、提供用画像が生成される。そのため、落書き編集の成果が反映されていない写真画像を用いて提供用画像が生成されてシールとして出力されるとき、ユーザは、事前にそのような落書き編集の成果が反映されていない状態のシールが出力されることを認識できる。したがって、プリントされた結果は、常にユーザが予想可能なものになり、プレイを行ったユーザの満足度が向上する。
【０２０６】
また、撮影や落書き編集前にシートデザイン選択が行われるので、ユーザは、選択したレイアウトを意識して、一連のプレイを楽しむことができる。すなわち、ユーザは、最終的な成果物であるシールの態様を想定しながら撮影や落書き編集等を行うことができ、そのうえで、落書き編集の成果をシールに反映させるか否かを実際のプレビュー表示を確認しながら切り替えることができる。したがって、プレイしたユーザは、自身の意向が深く反映されたシールを得ることができ、プレイを行ったユーザの満足度が向上する。
【０２０７】
特定レイアウト編集が行われるとき、デフォルト状態としては、選択された高デザイン性テンプレート２３１にマッチする可能性がより高いと思われる、落書きがない写真画像を用いた態様が選択される。したがって、高デザイン性テンプレート２３１の提供意図に沿った、斬新であって魅力的な提供用画像が生成される可能性が高くなり、写真シール作成装置１を用いたプレイの魅力が向上する。
【０２０８】
特別編集画像の編集結果は、落書きオン／オフ機能による切替結果にかかわらず、提供用画像に反映される。したがって、高デザイン性テンプレート２３１に基づいた提供用画像を魅力的なものにしながら、特別編集画像に関するユーザの編集意図を反映させることができる。
【０２０９】
本実施の形態においては、シールとして出力される提供用画像に関する特別レイアウト編集の結果にかかわらず、サーバ６０１には、写真画像と合成画像との両方が送信される。そのため、写真画像を用いたシールを得たユーザであっても、所定の方法でサーバ６０１を経由することにより、落書き編集の成果が反映された合成画像を取得することができる。したがって、写真シール作成装置１を用いたプレイの魅力を向上させることができ、プレイを行ったユーザの満足度を向上させることができる。
【０２１０】
［変形例の説明］
【０２１１】
なお、シートデザイン選択を、外部モニタ５２１における受付時ではなく、それ以降の段階で行うようにしてもよい。
【０２１２】
図２２は、本実施の形態の一変形例に係る写真シール作成装置１における、外部モニタ受け付けのプレイ時の流れについて説明するフローチャートである。図２３は、本実施の形態の一変形例に係る写真シール作成装置１における、落書き受け付けのプレイ時の流れについて説明するフローチャートである。
【０２１３】
図２２及び図２３には、シートデザイン選択を、落書き編集後に行う場合の例が示されている。すなわち、この場合、外部モニタ受け付けのプレイ時には、シートデザイン選択は行われない。したがって、図２２に示されるように、外部モニタ受付時には、シートデザイン選択を除く各処理が、上述の実施の形態におけるステップＳ１０１−Ｓ１０３，Ｓ１０５−Ｓ１０７と同様にして行われる（ステップＳ４０１−Ｓ４０６）。
【０２１４】
そして、図２３に示されるように、ステップＳ４３１−Ｓ４３４の落書き編集までが上述の実施の形態と同様にして行われた後、ステップＳ４３５において、シートデザイン選択処理が行われる。そうすると、上述の実施の形態と同様に、選択されたデザインテンプレートが所定の高デザイン性テンプレート２３１であるか否かの結果に応じて、特定レイアウト編集が行われる（ステップＳ４３６，Ｓ４３７）。それ以後は、上述の実施の形態と同様にして動作が行われる。
【０２１５】
このようにシートデザイン選択を行うタイミングを遅らせても、上述と同様に、ユーザに特定レイアウト編集を行う機会を付与することによりユーザの満足度を高くすることができるという基本的な効果を得ることができる。また、このようなタイミングでシートデザイン選択を行う場合には、ユーザは、撮影や落書き編集等のそれまでのプレイの内容に応じて、好ましいシートデザインを選択することができる。
【０２１６】
なお、このようにシートデザイン選択を落書き編集後に行う場合には、次のようにして、シートデザイン選択と落書きオン／オフ機能とを同時に行うようにしてもよい。
【０２１７】
図２４は、本実施の形態の上述とは異なる変形例に係る写真シール作成装置１における、テンプレート選択画面２５１を示す図である。
【０２１８】
図２４に示されるように、テンプレート選択画面２５１においては、上述のテンプレート選択画面２０１と同様に、タブ型のインターフェース（通常タブ２１０、多分割タブ２２０、及び高デザイン性タブ２３０）が用いられている。本変形例では、高デザイン性タブ２３０が選択されたとき、その下位層のタブとして、互いに択一的に選択可能な落書きありタブ２６１と落書きなしタブ２６３とが出現する。落書きありタブ２６１及び落書きなしタブ２６３は、左右のユーザ毎に表示される。
【０２１９】
図２４に示される例では、左側のユーザが、落書きありタブ２６１を選択しており、右側のユーザが、落書きなしタブ２６３を選択している。落書きありタブ２６１のプレビュー表示領域２７１には、写真画像が含まれる状態の提供用画像のプレビュー表示が、選択可能な高デザイン性テンプレート２３１毎に表示される。同様に、落書きなしタブ２６３のプレビュー表示領域２７３には、合成画像が含まれる状態の提供用画像のプレビュー表示が、選択可能な高デザイン性テンプレート２３１毎に表示される。
【０２２０】
このように、本変形例においては、落書きありタブ２６１と落書きなしタブ２６３との一方を選択したうえで、プレビュー表示を見ながら、採用する高デザイン性テンプレート２３１を選択することができる。すなわち、ユーザは、落書きの有無と、複数の高デザイン性テンプレート２３１毎の違いとの２つの要素の両方を同時に確認しながら、採用する高デザイン性テンプレート２３１を選定することができる。したがって、プレイするユーザの満足度を向上させることができる。
【０２２１】
［その他］
【０２２２】
写真シール作成装置は、上述の実施の形態における各特徴点をすべて有するものでなくてもよく、一部の特徴点のみを有するものであってもよい。そのように構成された写真シール作成装置であっても、その特徴点を有することに応じた効果を得ることができる。
【０２２３】
その他、上述の実施の形態において、次のように変更してもよい。
【０２２４】
写真画像の縦横比を変更した画像を配置するように第１の領域が設けられた高デザイン性テンプレートを選択した場合には、トリミングを行った幅（又は、元の画像への追加した幅）分だけ編集画像を拡縮してから写真画像に合成するようにしてもよい。ユーザが描画した編集画像の位置や大きさを、ユーザが操作することにより変更できるようにしてもよい。
【０２２５】
フィルタ加工した画像を配置するような第１の領域が設けられた高デザイン性テンプレートが選択された場合は、その高デザイン性テンプレートに基づいて生成される提供用画像のほか、サーバに送信される写真画像や合成画像等にもすべて同じようなフィルタ加工を施すようにしてもよい。また、このような高デザイン性テンプレートが選択された場合は、同様のフィルタ加工を施したように見える状態で、落書き編集を受け付けるようにしてもよい。これにより、そもそもフィルタ加工にマッチした落書き編集をユーザに実行させることができる。したがって、合成画像を用いて提供用画像を生成したときに、デザイン性が損なわれる可能性が少なく、ユーザの満足度が高くなる。
【０２２６】
高デザイン性テンプレートには、上述の第１の領域と第２の領域とのほか、通常テンプレートに含まれるような一般的な態様で合成画像が配置される第３の領域が含まれるようにしてもよい。これにより、落書き編集の成果が含まれるか否かを切り替えることで第１の領域と第２の領域とをマッチさせることで上述の提供用画像のようなデザイン性の高い画像をシールとして出力させることができ、かつ、落書き編集の成果を利用した合成画像を通常の態様でシールとして出力させることができる。
【０２２７】
テンプレート選択画面は、タブ型のユーザインターフェースを用いたものに限られない。種々のユーザインターフェースを用いることができる。
【０２２８】
プレイ中の各種画面等に表示される画像と、実際にユーザが取得する画像（例えば、写真シール作成装置からサーバに送信される画像）とが異なっていてもよい。すなわち、画面上に表示する画像として比較的低解像度のものを用いて各種編集を受け付け、最終的にシールとして出力したりサーバに送信したりするときに、編集内容に基づいた高解像度の提供用画像を生成するようにしてもよい。
【０２２９】
カメラで撮影した画像を用いるときには、撮影画像をそのまま写真画像として用いて処理を行ってもよいし、撮影画像について画像処理や切り取り等を行った後の画像（撮影画像に基づく画像）を写真画像として用いて処理を行ってもよい。
【０２３０】
生成される提供用画像は、シートに印刷されなくてもよい。例えば、提供用画像は、おまけ画像として、サーバを介してユーザに提供されるようにしてもよい。
【０２３１】
生成された提供用画像等は、サーバに送信されず、他の方法でユーザに提供されるようにしてもよい。例えば、ユーザの携帯電話と写真シール作成装置が有線通信又は無線通信で直接通信することでユーザに画像が提供されるようにしてもよいし、可搬性のある記録媒体などを用いることでユーザに提供されるようにしてもよい。
【０２３２】
本発明は、写真シール作成装置に限られず、ユーザに提供するために用いられる提供用画像を撮像した写真を用いて生成する写真撮影遊戯装置やそれを備える装置に広く適用可能である。
【０２３３】
上述の実施の形態における処理は、ソフトウェアによって行っても、ハードウェア回路を用いて行ってもよい。
【０２３４】
上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザに提供することにしてもよい。プログラムはインターネットなどの通信回線を介して、装置にダウンロードするようにしてもよい。上記のフローチャートで文章で説明された処理は、そのプログラムに従ってＣＰＵなどにより実行される。
【０２３５】
上記実施の形態は、すべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【符号の説明】
【０２３６】
１  写真シール作成装置（写真撮影遊戯装置の一例）
２０１，２５１  テンプレート選択画面
２０３  プレビュー表示領域
２３１（２３１ａ−２３１ｈ）  高デザイン性テンプレート（所定のデザインテンプレートの一例）
２３０  高デザイン性タブ
２３２  第１の領域
２３４  第２の領域
３０１，３３１  特定レイアウト編集画面
３０３ａ，３０４ａ  落書きＯＮ表示
３０３ｂ，３０４ｂ  落書きＯＦＦ表示
３３２  切替ボタン
５０１  制御部
５０２  ＣＰＵ
５０３  メモリ
５０４  画像処理部
５０５  記憶部
５０７  制御プログラム
５０９  通信部
５１５  カメラ
５７０  編集出力装置
５７５  シール排出口
５８０  編集受付部
５８１  編集モニタ
５８３  タッチペン
５８５  非接触通信装置
５８７  スピーカ
５９０  印刷部
６０１  画像提供サーバ
７０１  携帯端末
９０１  写真シール遊戯システム
【図１】
0006574949.tif 000002
【図２】
0006574949.tif 000003
【図３】
0006574949.tif 000004
【図４】
0006574949.tif 000005
【図５】
0006574949.tif 000006
【図６】
0006574949.tif 000007
【図７】
0006574949.tif 000008
【図８】
0006574949.tif 000009
【図９】
0006574949.tif 000010
【図１０】
0006574949.tif 000011
【図１１】
0006574949.tif 000012
【図１２】
0006574949.tif 000013
【図１３】
0006574949.tif 000014
【図１４】
0006574949.tif 000015
【図１５】
0006574949.tif 000016
【図１６】
0006574949.tif 000017
【図１７】
0006574949.tif 000018
【図１８】
0006574949.tif 000019
【図１９】
0006574949.tif 000020
【図２０】
0006574949.tif 000021
【図２１】
0006574949.tif 000022
【図２２】
0006574949.tif 000023
【図２３】
0006574949.tif 000024
【図２４】
0006574949.tif 000025